(57)【特許請求の範囲】
【請求項１】
水受け部材の底面部に開設した排水口に取り付けるゴミ受け本体を有し、このゴミ受け本体の上面側を上方へ開放させて下方へ窪ませて平坦な底部を形成すると共に、上方開口から底部に向かって内径を狭小しながら下向きに傾斜させた傾斜面部を形成し、上記底部の位置をゴミ受け本体の平面視において上方開口の中心部から偏在させて配置し、傾斜面部と底部とに多数の通水孔を形成し、底部における通水孔の開口面積率を傾斜面部における通水孔の開口面積率に比べて大きくしたことを特徴とするゴミ受け装置。
【請求項２】
傾斜面部の通水孔を、上方開口から底部に向かう方向を長手方向とする長孔状に形成したことを特徴とする請求項１に記載のゴミ受け装置。
【請求項３】
ゴミ受け本体の上面開口を塞ぐ蓋体を有し、蓋体とゴミ受け本体との間には蓋体を所定姿勢で上面開口に配置可能にする位置決め手段を設け、蓋体におけるゴミ受け本体の底部の上方位置に水受け部材の排水を流下させる主流入孔を穿設すると共に、ゴミ受け本体の平面視において底部の位置を上方開口の中心部から偏在させたことで傾斜面部に形成される緩傾斜面部と急傾斜面部のうちの、緩傾斜面部の上縁部の上方位置に水受け部材の排水を流下させる副流入孔を穿設すると共に、この副流入孔を主流入孔よりも小さく形成したことを特徴とする請求項１又は２に記載のゴミ受け装置。
【請求項４】
ゴミ受け本体の表面に撥水性を備えて、水接触角を９０度以上に、または水滴滑落角を２０度以下にしたことを特徴とする請求項１乃至３のいずれか一項に記載のゴミ受け装置。
【発明の詳細な説明】
【技術分野】
【０００１】
本発明は、排水口に設置するゴミ受け装置に関するものである。
【背景技術】
【０００２】
従来から、キッチンシンクや浴室床パンなどの水受け部材２の底面部に開設した排水口３に設置されるゴミ受け装置１にあっては、図３のようなものが知られている（たとえば特許文献１参照）。このゴミ受け装置１は水受け部材２の排水に含まれるゴミを捕捉して除去するまでの間収めておくために上方に開口せる容器状の目皿であるゴミ受け本体４´を有しており、図３のゴミ受け本体４´はその外形が下端部の尖る円錐形状に形成されており、この円錐形状の傾斜面部６の頂点である下端部の位置はゴミ受け本体４´の平面視において上方開口７の中心部から偏在させて配置してある。しかして、上記ゴミ受け本体４´は外形が円錐形状であるからその下端部に捕捉したゴミを集めることができると共に、ゴミが溜まる下端部を排水流れの中心位置からずらして、スムーズな排水の流れを確保しようとしている。
【０００３】
しかしながら、上記ゴミ受け本体４´にあっては、その外形が円錐形状であるから下端部に溜め得るゴミの量を大きくできないと共に、その全体に亙って線材を縦横に交差させることで該線材の間に排水を通す通水孔８が多数形成されているが、この通水孔８は下方側にいくほど密度の高くなる線材との兼ね合いで、その開口面積率またはその形成密度が下方側にいくほど小さくなるように形成されることとなっており、溜まったゴミによって通水孔８が比較的早期に閉塞されて通水効率を低下させてしまうという問題がある。更に言うと、円錐形状のゴミ受け本体４´に流入した水受け部材２の排水は傾斜面部６を経て下端部に一極集中的に集められて勢いのある流れとなり、また積層して溜まったゴミはその最下層部に一極集中的に重量を集中させてしまって最下層部のゴミを潰し、上記勢いある排水流れも相俟って潰れたゴミが通水孔８の中に入り込んで、通水孔８の閉塞状態を強固にしてしまうばかりか、ゴミ受け本体４´を排水口３から外して溜まったゴミを除去する際に、ゴミが通水孔８に強く引っ掛かって除去しにくいといった問題も引き起こしてしまうのであった。
【特許文献１】特開２００６−２４２３号公報
【発明の開示】
【発明が解決しようとする課題】
【０００４】
本発明は上記の点に鑑みてなされたものであり、その目的とするところは、ゴミ留め容積を大きくすると共にゴミを溜めても長期に亙って通水効率を確保し、且つ、溜まったゴミも容易に除去できるゴミ受け装置を提供することにある。
【課題を解決するための手段】
【０００５】
上記課題を解決するために請求項１に係るゴミ受け装置にあっては、水受け部材２の底面部に開設した排水口３に取り付けるゴミ受け本体４を有し、このゴミ受け本体４の上面側を上方へ開放させて下方へ窪ませて平坦な底部５を形成すると共に、上方開口７から底部５に向かって内径を狭小しながら下向きに傾斜させた傾斜面部６を形成し、上記底部５の位置をゴミ受け本体４の平面視において上方開口７の中心部から偏在させて配置し、傾斜面部６と底部５とに多数の通水孔８を形成し、底部５における通水孔８の開口面積率を傾斜面部６における通水孔８の開口面積率に比べて大きくしたことを特徴とする。
【０００６】
これによると、水受け部材２の底面部に開設した排水口３に取り付けるゴミ受け本体４の上面側を上方へ開放させて下方へ窪ませて平坦な底部５を形成すると共に、上方開口７から底部５に向かって内径を狭小しながら下向きに傾斜させた傾斜面部６を形成し、上記底部５の位置をゴミ受け本体４の平面視において上方開口７の中心部から偏在させて配置したので、ゴミ受け本体４の下端部の底部５に溜めるゴミの量を大きくできると共に、ゴミが溜まる底部５を排水流れの中心位置からずらしてスムーズな排水の流れを確保でき、しかもゴミ受け本体４に流入した排水は水受け部材２の下端部に一極集中的に集水されることはなく、また平坦な底部５に積層して溜まるゴミも一極集中的に荷重が集中することはなくて、溜まったゴミの最下層部が潰れて集水された排水の勢いによって底部５の通水孔８内に入り込む恐れも少なくできるから、溜まったゴミも容易に除去できるのであり、更に、ゴミ受け本体４の底部５における通水孔８の開口面積率（底部５面積における通水孔８の開口面積の割合）を傾斜面部６における通水孔８の開口面積率（傾斜面部６面積における通水孔８の開口面積の割合）に比べて大きくしたことで、底部５にゴミが溜まってきても比較的長期に亙ってゴミ受け本体４の底部５の通水性能を確保できたのである。
【０００７】
また、請求項２に係るゴミ受け装置にあっては、請求項１において、傾斜面部６の通水孔８を、上方開口７から底部５に向かう方向を長手方向とする長孔状に形成したことを特徴とする。
【０００８】
これによると、傾斜面部６の長孔状の通水孔８の長手方向が水受け部材２の排水の傾斜面部６に沿う流下方向と同方向になるので、ゴミ受け本体４に流入した水受け部材２の排水を傾斜面部６の通水孔８から効率よく排水口３に流下させることができ、ゴミ受け本体４の通水性能を良好にできる。
【０００９】
また、請求項３に係るゴミ受け装置にあっては、請求項１又は２において、ゴミ受け本体４の上方開口７を塞ぐ蓋体９を有し、蓋体９とゴミ受け本体４との間には蓋体９を所定姿勢で上方開口７に配置可能にする位置決め手段１０を設け、蓋体９におけるゴミ受け本体４の底部５の上方位置に水受け部材２の排水を流下させる主流入孔１１を穿設すると共に、ゴミ受け本体４の平面視において底部５の位置を上方開口７の中心部から偏在させたことで傾斜面部６に形成される緩傾斜面部６ａと急傾斜面部６ｂのうちの、緩傾斜面部６ａの上縁部の上方位置に水受け部材２の排水を流下させる副流入孔１２を穿設すると共に、この副流入孔１２を主流入孔１１よりも小さく形成したことを特徴とする。
【００１０】
これによると、水受け部材２の大部分の排水を蓋体９の主流入孔１１を通してゴミ受け本体４の底部５に直接流下させ、ゴミ受け本体４の底部５で排水に含まれるゴミを捕捉した後に底部５にある通水孔８から排水口３へ流下させることができ、水受け部材２の残りの少量の排水は蓋体９の副流入孔１２からゴミ受け本体４の緩傾斜面部６ａに流入されて、主流入孔１１からの主排水流れを阻害しない程度に緩傾斜面部６ａに付着したゴミを底部５に洗い落としつつ、ゴミ受け本体４の通水孔８から排水口３に排水させることができるのであり、つまり、ゴミ受け本体４の通水効率を低下させずにゴミ受け本体４の底部５に効率よくゴミを集めて溜めるようにできるのである。
【００１１】
また、請求項４に係るゴミ受け装置にあっては、請求項１乃至３のいずれか一項において、ゴミ受け本体４の表面に撥水性を備えて、水接触角を９０度以上に、または水滴滑落角を２０度以下にしたことを特徴とする。
【００１２】
これによると、溜まったゴミをゴミ受け本体４の表面から良好に剥離させることができ、ゴミ受け本体４からのゴミの除去の容易化を図ることができる。
【発明の効果】
【００１３】
本発明にあっては、ゴミ留め容積を大きくすると共にゴミを溜めても長期に亙って通水効率を確保し、且つ、溜まったゴミも容易に除去できる、という利点を有する。
【発明を実施するための最良の形態】
【００１４】
以下、本発明を添付図面に示す実施形態に基いて説明する。
【００１５】
本例のゴミ受け装置１は、図１のように、水受け部材２の底面部に開設した排水口３に取り付ける上方に開口せる有底筒状のゴミ受け本体４と、ゴミ受け本体４の上方開口７に取り付ける蓋体９とを有し、このゴミ受け本体４に水受け部材２の排水を通過させてその際に排水に含まれるゴミを捕捉できるようにしている。ここで、本例の水受け部材２は上方に開口せるキッチンシンク２０であり、ゴミ受け本体４で捕捉するゴミとしては調理の際に出る野菜の切り屑等の調理屑を想定している。また、本例のキッチンシンク２０ではその底面２１から下方に凹没させた凹底面２２を有し、この凹底面２２にその下流端で排水管（図示せず）に連通される鉛直管状の排水口３の上流端が開設されている。そして、ゴミ受け本体４は上方開口７縁に側外方に突出するフランジ１３が形成されており、このフランジ１３を排水口３の上縁（キッチンシンク２０の凹底面２２上）に載置させることで、ゴミ受け本体４は排水口３内に収容するようにして排水口３に着脱自在に配置される。
【００１６】
ゴミ受け本体４は、図２のように、薄板部材の上面側を上方へ開放させて下方へ窪ませて形成される円錐台形状の外形を有している。詳しくは、ゴミ受け本体４は、上方開口７から底部５に向かって内径を狭小しながら下向きに傾斜させた傾斜面部６と、傾斜面部６の下端に連続する平坦な底部５とを有している。この底部５の位置は、ゴミ受け本体４の平面視において上方開口７の中心部から偏在させて位置している。しかして、傾斜面部６の底部５からの勾配は周方向によって異なるものとなり、したがって、傾斜面部６には、勾配の比較的大きい急傾斜面部６ｂと、勾配の比較的小さい緩傾斜面部６ａとを分けることができる。すなわち、急傾斜面部６ｂは平面視で底部５が近接する上方開口７の縁部分から垂下した傾斜面部６の部位がこれを構成し、緩傾斜面部６ａは底部５が離間する上方開口７の縁部分から垂下した傾斜面部６の部位がこれを構成する。なお、底部５の上方開口７に対する平面面積比は０．７以下にするのが好ましい。
【００１７】
上記傾斜面部６と底部５とには多数の通水孔８がそれぞれ形成されている。通水孔８はゴミ受け本体４内に流入した水受け部材２の排水を排水口３の下流側に排水するための孔である。本例では、底部５に穿設した通水孔８は円孔状に形成されているが、傾斜面部６に形成した通水孔８は傾斜面部６の傾斜方向を長手方向とする長孔状に形成されている。傾斜面部６の傾斜方向はゴミ受け本体４内に流入した水受け部材２の排水の流下方向と同じであるから、傾斜面部６の傾斜方向を長手方向とする長孔状の通水孔８によると、傾斜面部６に沿って流下する排水を効率よく導入して通水でき、排水口３へ流下、排水させることが可能にされている。
【００１８】
また、本例では、底部５における通水孔８の開口面積率（底部５面積における通水孔８の開口面積の割合）を傾斜面部６における通水孔８の開口面積率（傾斜面部６面積における通水孔８の開口面積の割合）に比べて大きくしてある。また、底部５における通水孔８の形成密度（底部５の単位面積における通水孔８の形成個数の割合）を傾斜面部６における通水孔８の形成密度（傾斜面部６の単位面積における通水孔８の形成個数の割合）に比べて大きくしてある。したがって、底部５での通水孔８による通水効率が、傾斜面部６での通水孔８による通水効率に比べて、大きく（効率良く）されている。なお、通水孔８はゴミの捕捉性能を鑑みて０．２〜２．５ｍｍの開口幅に形成するのが好ましい。
【００１９】
上記構成のゴミ受け本体４によると、水受け部材２の排水を通水孔８を経て排水口３に排水した際に水受け部材２の排水に含まれたゴミがゴミ受け本体４の上面側に捕捉されて溜まるものであるが、この捕捉したゴミは傾斜面部６と底部５とが囲繞した上広がり状の凹状部位であるゴミ溜め部１４に溜まるものであり、従来技術に例示した下端部が尖る円錐形状のゴミ受け本体４´に比べて、ゴミ留め容積を大きくできた利点を有している。溜まったゴミは、ゴミ受け本体４を排水口３から取り外して上方開口７を下に向けるようにひっくり返すというゴミ除去作業を行うことで、ゴミ受け本体４からゴミを除去できるのであるが、上記のようにゴミ留め容積の大きいゴミ溜め部１４を有したことで、ゴミのゴミ受け本体４からの除去頻度を少なくできる。なお、ゴミ受け本体４に使用者が摘み得る取っ手を設ければ、ゴミ除去作業の作業性を向上できて好ましい。
【００２０】
また、ゴミ溜め部１４に溜まるゴミは実質的には底部５上に積層して溜まるのであって、底部５上に積層して溜まるゴミは底部５の通水孔８を塞いでしまうこともあるが、本例のゴミ受け本体４では、上記のように底部５の通水孔８の設置個数や開口面積に工夫を凝らして高い通水効率を実現させているので、比較的長期に亙ってゴミ受け本体４の底部５の通水性能を確保できるという利点を有している。すなわち、従来技術に例示したゴミ受け本体４´はその全体に亙って線材を縦横に交差させることで該線材の間に排水を通す通水孔８が多数形成されているが、この通水孔８は下方側にいくほど密度の高くなる線材との兼ね合いで、その開口面積率またはその形成密度が下方側にいくほど小さくなっており、溜まったゴミによって通水孔８が比較的早期に閉塞されるものであったが、本例のゴミ受け本体４は、従来技術のゴミ受け本体４´に比べて、ゴミにより塞がれない通水孔８を多く残すようにしたことで、ゴミ受け本体４の底部５の通水性能の比較的長期に亙る確保を実現したのである。
【００２１】
また、従来技術の下端部が尖る円錐形状のゴミ受け本体４´にあっては、円錐形状のゴミ受け本体４´に流入した水受け部材２の排水は傾斜面部６を経て下端部に一極集中的に集められて勢いのある流れとなり、また積層して溜まったゴミはその最下層部に一極集中的に重量を集中させてしまうものであるが、本例の平坦な底部５を有したゴミ受け本体４にあっては、上記排水の流れや溜まったゴミの重量の一極集中現象は生じるものではない。したがって、本例のゴミ受け本体４では、溜まったゴミの重量の一極集中による最下層部のゴミが潰れ、この潰れた最下層部のゴミが一極集中した勢いのある排水の流れを受けて通水孔８の中に入り込むといった従来技術のゴミ受け本体４´で生ずる現象の発生が無く、したがって、ゴミの通水孔８への強い引っ掛かりを回避できて、溜まったゴミを容易に除去できる利点も有している。
【００２２】
更に言うと、本例のゴミ受け本体４の表面には撥水性が付与され、これにより水接触角を９０度以上に、または水滴滑落角を２０度以下にしてある。ここで、ゴミ受け本体４の表面には撥水性が付与する具体的手段としては、ポリ四フッ化エチレンやシリコンやフッ素などの撥水成分でゴミ受け本体４自体を形成したり、その表面をコーティングする手段を採用できる。なお、上記水滴滑落角とは材料表面に滴下した水滴が滑落する材料表面の最低傾斜角度を言い、本例では体積０．０３ｍｌの水滴を用いて水滴滑落角の角度測定を行っている。ゴミ受け本体４の表面に備えた撥水性によると該表面へのゴミや水垢の付着を防止でき、つまり溜まったゴミのゴミ受け本体４の表面からの良好な剥離性能が確保されて、ゴミのゴミ受け本体４からの除去の容易化が図られているのである。
【００２３】
また、本例のゴミ受け装置１の蓋体９は円盤状であり、比較的大きい開口を有する主流入孔１１と比較的小さい開口を有する副流入孔１２とが穿設され、ゴミ受け本体４の上方開口７に位置決め手段１０を介して所定姿勢で取り付けられる。上記蓋体９の所定姿勢とは、主流入孔１１がゴミ受け本体４の底部５の真上位置に位置し、副流入孔１２がゴミ受け本体４の緩傾斜面部６ａの上縁部の真上位置に位置するようなゴミ受け本体４に対する取付姿勢である。上記位置決め手段１０は、たとえばゴミ受け本体４のフランジ１３に穿設した非円形の位置決め孔１５と、蓋体９の外縁部から下方に突設されて位置決め孔１５に合致嵌合する位置決め突起１６とで構成することができるが、その他任意の手段を採用することも可能である。なお本例では位置決め孔１５は矩形孔状に、位置決め突起１６は矩形柱状に形成してある。
【００２４】
このように、蓋体９を所定姿勢にしてゴミ受け本体４の上方開口７を塞ぐように取り付けると、水受け部材２の大部分の排水を蓋体９の主流入孔１１を通してゴミ受け本体４の底部５に直接流下させて、ゴミ受け本体４の底部５で排水に含まれるゴミを捕捉した後に底部５にある通水孔８から排水口３へ流下させることができ、また、水受け部材２の残りの少量の排水は蓋体９の副流入孔１２からゴミ受け本体４の緩傾斜面部６ａに流入されて、主流入孔１１からの主排水流れを阻害しない程度に緩傾斜面部６ａに付着したゴミを底部５に洗い落としつつ、ゴミ受け本体４の通水孔８から排水口３に排水させることができるのであり、つまり、ゴミ受け本体４の通水効率を低下させずにゴミ受け本体４の底部５に効率よくゴミを集めて溜めるようにできるようにされているのである。
【図面の簡単な説明】
【００２５】
【図１】本発明の実施の形態の例のゴミ受け装置を排水口に設置した状態の側断面図である。
【図２】本発明の実施の形態の例のゴミ受け装置の分解斜視図である。
【図３】従来技術の例のゴミ受け装置を排水口に設置した状態の側断面図である。
【符号の説明】
【００２６】
１  ゴミ受け装置
２  水受け部材
３  排水口
４  ゴミ受け本体
５  底部
６  傾斜面部
６ａ  緩傾斜面部
６ｂ  急傾斜面部
７  上方開口
８  通水孔
９  蓋体
１０  位置決め手段
１１  主流入孔
１２  副流入孔
【図１】
0005086741.tif 000002
【図２】
0005086741.tif 000003
【図３】
0005086741.tif 000004